(57)【要約】【課題】製品性能上必要のない部品を使用することなく、接合強度および位置精度を確保できるコネクタ６の接合方法を提供する。【解決手段】配管接続用コネクタ６の座面側には、接合子６ｂが環状に設けられている。この接合子６ｂは、先端側へ向かって肉厚が次第に縮小するテーパ状に形成されて、その先端部に突起部６ｃが設けられている。一方、コモンレール１の平坦な外周面には、コネクタ６の突起部６ｃと凹凸嵌合するリング状の溝１ｂが形成されている。  上記の構成によれば、コモンレール１に形成されたリング状の溝１ｂにコネクタ６の突起部６ｃを嵌め合わせることで、コモンレール１の所定位置にコネクタ６を位置決めできる。また、接合子６ｂの肉厚が先端側へ向かって次第に縮小され、その先端部に突起部６ｃが設けられているので、突起部６ｃに電流を集中させて電流密度を上げることにより、十分な接合強度を得ることができる。【選択図】図１
2006077716.tif 000002
【特許請求の範囲】
【請求項１】
コモンレールに蓄えられた高圧燃料をインジェクタより内燃機関に噴射する蓄圧式燃料噴射システムにおいて、該システムの一構成部品に使用される金属母材と、この金属母材に抵抗溶接によって接合される継手部材とを有し、
前記継手部材には、環状の接合子が設けられ、この接合子は、先端側へ向かって肉厚が次第に縮小されると共に、その先端部に突起部を有しており、
前記金属母材の表面には、前記突起部に対応するリング状の溝が形成され、
前記突起部と前記溝との凹凸嵌合により、前記金属母材の所定位置に前記継手部材が位置決めされた状態で、前記突起部に電流を集中させて抵抗溶接を行うことを特徴とする蓄圧式燃料噴射システムに用いられる継手部材の接合方法。
【請求項２】
請求項１に記載した継手部材の接合方法において、
前記継手部材は、リング状を有する前記突起部の内周側または外周側または内周と外周の両側が前記溝の側面に規制されて位置決めされることを特徴とする蓄圧式燃料噴射システムに用いられる継手部材の接合方法。
【請求項３】
請求項１または２に記載した継手部材の接合方法において、
前記コモンレールから前記インジェクタに高圧燃料を供給する高圧配管を有し、
前記継手部材は、前記金属母材である前記コモンレールに前記高圧配管を接続するための配管接続用コネクタであることを特徴とする蓄圧式燃料噴射システムに用いられる継手部材の接合方法。
【請求項４】
請求項１または２に記載した継手部材の接合方法において、
燃料配管を通じて前記コモンレールに燃料を圧送する燃料供給ポンプを有し、
前記継手部材は、前記金属母材である前記コモンレールに前記燃料配管を接続するための配管接続用コネクタであることを特徴とする蓄圧式燃料噴射システムに用いられる継手部材の接合方法。
【請求項５】
請求項１または２に記載した継手部材の接合方法において、
前記継手部材は、前記金属母材である前記コモンレールに圧力センサ、または減圧弁、または圧力調整装置等を取り付けるための接続用コネクタであることを特徴とする蓄圧式燃料噴射システムに用いられる継手部材の接合方法。
【請求項６】
請求項１または２に記載した継手部材の接合方法において、
前記継手部材は、前記金属母材である前記コモンレールにブラケットを固定するための固定用コネクタであることを特徴とする蓄圧式燃料噴射システムに用いられる継手部材の接合方法。
【請求項７】
請求項１または２に記載した継手部材の接合方法において、
燃料配管を通じて前記コモンレールに燃料を圧送する燃料供給ポンプを有し、
前記継手部材は、前記金属母材である前記燃料供給ポンプのシリンダヘッドに前記燃料配管を接続するための配管接続用コネクタであることを特徴とする蓄圧式燃料噴射システムに用いられる継手部材の接合方法。
【請求項８】
請求項１または２に記載した継手部材の接合方法において、
前記コモンレールから前記インジェクタに高圧燃料を供給する高圧配管を有し、
前記継手部材は、前記金属母材である前記インジェクタのボディに前記高圧配管を接続するための配管接続用コネクタであることを特徴とする蓄圧式燃料噴射システムに用いられる継手部材の接合方法。
【請求項９】
コモンレールに蓄えられた高圧燃料をインジェクタより内燃機関に噴射する蓄圧式燃料噴射システムにおいて、前記コモンレールを前記内燃機関に取り付けるための取付ステーを有し、この取付ステーを抵抗溶接により前記コモンレールに接合する方法であって、
前記コモンレールの外周面には、自身の長手方向に所定の幅で凹状に形成された位置決め凹部が設けられ、
前記取付ステーは、外周面が円形を有する筒形状に設けられて、前記位置決め凹部の長手方向両角部に前記円形の外周面が支持されて、前記コモンレールの長手方向に位置決めされた状態で接合されることを特徴とする蓄圧式燃料噴射システムに用いられる取付ステーの接合方法。
【請求項１０】
請求項９に記載した取付ステーの接合方法において、
前記コモンレールには、前記位置決め凹部の長手方向両角部に面取りが形成され、前記取付ステーの円形外周面が前記面取りに支持されて位置決めされることを特徴とする蓄圧式燃料噴射システムに用いられる取付ステーの接合方法。
【請求項１１】
コモンレールに蓄えられた高圧燃料をインジェクタより内燃機関に噴射する蓄圧式燃料噴射システムにおいて、前記コモンレールを前記内燃機関に取り付けるための取付ステーを有し、この取付ステーを抵抗溶接により前記コモンレールに接合する方法であって、
前記コモンレールは、少なくとも前記取付ステーが接合される外周面が円形に設けられており、
前記取付ステーは、所定の幅で凹状に形成された位置決め凹部が設けられ、この位置決め凹部の両角部を前記コモンレールの円形外周面に当接させて、前記位置決め凹部の中心が前記コモンレールの中心に保たれた状態で接合されることを特徴とする蓄圧式燃料噴射システムに用いられる取付ステーの接合方法。
【請求項１２】
請求項１１に記載した取付ステーの接合方法において、
前記取付ステーには、前記位置決め凹部の両角部に面取りが形成され、前記コモンレールの円筒外周面に前記面取りを当てて位置決めされることを特徴とする蓄圧式燃料噴射システムに用いられる取付ステーの接合方法。
【請求項１３】
請求項１１または１２に記載した取付ステーの接合方法において、
前記コモンレールの外周面には、自身の長手方向に所定の幅で凹状に形成された位置決め溝が形成され、
前記取付ステーは、前記位置決め溝に嵌め合わされることで、前記コモンレールの長手方向に位置決めされることを特徴とする蓄圧式燃料噴射システムに用いられる取付ステーの接合方法。
【発明の詳細な説明】
【技術分野】
【０００１】
本発明は、蓄圧式燃料噴射システムに用いられる継手部材または取付ステーを金属母材の表面に抵抗溶接によって接合する接合方法に関する。
【背景技術】
【０００２】
従来、内燃機関用の蓄圧式燃料噴射システムでは、例えば、コモンレールに配管接続用のコネクタを接合する場合に、その接合部の強度と位置精度が要求される。
これに対し、特許文献１に記載された公知技術では、コモンレールの外周面に凸状の位置決め部を設けて、この位置決め部にコネクタを嵌め合わせることで位置精度を確保し、且つ抵抗溶接によって接合強度を確保している。
【０００３】
但し、抵抗溶接は、接合しようとするコモンレールとコネクタとの接触部に電流を流して、接触部の電気抵抗による発熱を利用して接合する方式であるため、接合箇所ではない位置決め部に電流が流れると、本来の接合箇所に流れる電流密度が低下して十分な接合強度が得られなくなる。このため、特許文献１では、抵抗溶接時の電流が位置決め部に流れないように、位置決め部とコネクタとの間に絶縁体リングが挟み込まれている。
【０００４】
また、蓄圧式燃料噴射システムでは、取付ステーを介してコモンレールを内燃機関に取り付けるため、コモンレールに対する取付ステーの位置精度が重要である。つまり、コモンレールに取付ステーを接合する際に、その接合位置がずれると、上記のコモンレールに対するコネクタの位置精度に影響する。これに対し、従来では、設備上の治具合わせによってコモンレールに対する取付ステーの位置精度を確保している。
【特許文献１】国際公開第０１／６６９３４号パンフレット
【発明の開示】
【発明が解決しようとする課題】
【０００５】
ところが、上記の公知技術（特許文献１）では、製品性能上必要のない絶縁体リングを使用するため、コストアップを招くという問題が発生する。
一方、コモンレールに対する取付ステーの位置精度を治具合わせによって確保する従来の方法では、コモンレールおよび取付ステーの寸法誤差を吸収できないため、例えば、コモンレールの長さ、あるいは取付ステーの外径に誤差が生じると、その誤差を含んだ状態で位置合わせされるため、コモンレールに対する取付ステーの位置精度が悪化する。また、抵抗溶接時の発熱によってコモンレールが熱膨張すると、この熱膨張の影響を受けて取付ステーの位置精度が悪化する。
【０００６】
本発明は、上記事情に基づいて成されたもので、その目的は、製品性能上必要のない部品を使用することなく、接合強度および位置精度を確保できる継手部材の接合方法、および製品の寸法誤差やコモンレールの熱膨張に影響されることなく、コモンレールに対する取付ステーの位置精度を確保できる取付ステーの接合方法を提供することにある。
【課題を解決するための手段】
【０００７】
（請求項１の発明）
本発明は、コモンレールに蓄えられた高圧燃料をインジェクタより内燃機関に噴射する蓄圧式燃料噴射システムにおいて、該システムの一構成部品に使用される金属母材に継手部材を抵抗溶接によって接合する方法であり、継手部材には、環状の接合子が設けられ、この接合子は、先端側へ向かって肉厚が次第に縮小されると共に、その先端部に突起部を有しており、金属母材の表面には、突起部に対応するリング状の溝が形成されている。
前記継手部材は、突起部と溝との凹凸嵌合により、金属母材の所定位置に位置決めされた状態で、突起部に電流を集中させて抵抗溶接を行うことにより、金属母材に接合されることを特徴とする。
【０００８】
上記の接合方法によれば、継手部材の接合子に設けられた突起部を金属母材の表面に凹設された溝に嵌め合わせることで、金属母材の所定位置に継手部材を位置決めできる。この場合、抵抗溶接によって接合する２つの部品（金属母材と継手部材）自体に位置決め手段である溝と突起部とを設けているので、継手部材の位置精度が向上する。
また、接合子の肉厚が先端側へ向かって次第に縮小され、その先端部に突起部が設けられているので、突起部に電流を集中させて抵抗溶接を行うことができ、十分な接合強度を得ることができる。さらに、突起部に電流を集中できるので、特許文献１に記載した公知技術のように絶縁体リングを使用する必要がなく、コストダウンできる。
【０００９】
（請求項２の発明）
請求項１に記載した継手部材の接合方法において、継手部材は、リング状を有する突起部の内周側または外周側または内周と外周の両側が溝の側面に規制されて位置決めされることを特徴とする。
例えば、突起部の内周を溝の内周に位置合わせする、あるいは突起部の外周を溝の外周に位置合わせする、あるいは突起部の幅と溝の幅を略同一に設定して、突起部の内周と外周を溝の内周と外周にそれぞれ位置合わせすることにより、金属母材に対し継手部材を位置決めできる。
【００１０】
（請求項３の発明）
請求項１または２に記載した継手部材の接合方法において、コモンレールからインジェクタに高圧燃料を供給する高圧配管を有し、継手部材は、金属母材であるコモンレールに高圧配管を接続するための配管接続用コネクタであることを特徴とする。
【００１１】
（請求項４の発明）
請求項１または２に記載した継手部材の接合方法において、燃料配管を通じてコモンレールに燃料を圧送する燃料供給ポンプを有し、継手部材は、金属母材であるコモンレールに燃料配管を接続するための配管接続用コネクタであることを特徴とする。
【００１２】
（請求項５の発明）
請求項１または２に記載した継手部材の接合方法において、継手部材は、金属母材であるコモンレールに圧力センサ、または減圧弁、または圧力調整装置等を取り付けるための接続用コネクタであることを特徴とする。
【００１３】
（請求項６の発明）
請求項１または２に記載した継手部材の接合方法において、継手部材は、金属母材であるコモンレールにブラケットを固定するための固定用コネクタであることを特徴とする。  
【００１４】
（請求項７の発明）
請求項１または２に記載した継手部材の接合方法において、燃料配管を通じてコモンレールに燃料を圧送する燃料供給ポンプを有し、継手部材は、金属母材である燃料供給ポンプのシリンダヘッドに燃料配管を接続するための配管接続用コネクタであることを特徴とする。
【００１５】
（請求項８の発明）
請求項１または２に記載した継手部材の接合方法において、コモンレールからインジェクタに高圧燃料を供給する高圧配管を有し、継手部材は、金属母材であるインジェクタのボディに高圧配管を接続するための配管接続用コネクタであることを特徴とする。
【００１６】
（請求項９の発明）
本発明は、コモンレールに蓄えられた高圧燃料をインジェクタより内燃機関に噴射する蓄圧式燃料噴射システムにおいて、コモンレールを内燃機関に取り付けるための取付ステーを有し、この取付ステーを抵抗溶接によりコモンレールに接合する方法であって、コモンレールの外周面には、自身の長手方向に所定の幅で凹状に形成された位置決め凹部が設けられ、取付ステーは、外周面が円形を有する筒形状に設けられて、位置決め凹部の長手方向両角部に円形の外周面が支持されて、コモンレールの長手方向に位置決めされた状態で接合されることを特徴とする。
【００１７】
上記の接合方法によれば、位置決め凹部の両角部に取付ステーの外周面を乗せることで、位置決め凹部の中心に取付ステーの中心が保たれる。つまり自動調心されるので、従来の治具合わせによることなく、コモンレールと取付ステーとの位置合わせを行うことができる。この方法によれば、コモンレールおよび取付ステーの寸法誤差を吸収できる、つまり、コモンレールの長さあるいは取付ステーの外径に誤差が生じた場合でも、その誤差に影響されることなく、コモンレールの所定位置に取付ステーを位置決めできるので、位置精度が向上する。
【００１８】
また、コモンレールに対する取付ステーの位置精度を治具合わせによって確保している訳ではないので、抵抗溶接時の発熱によってコモンレールが熱膨張しても、その熱膨張を吸収して位置合わせできる。その結果、コモンレールの熱膨張に影響されることなく、コモンレールに対する取付ステーの位置精度が向上する。なお、請求項９に係るコモンレールの外周面は、円形に限定されるものではない。
【００１９】
（請求項１０の発明）
請求項９に記載した取付ステーの接合方法において、コモンレールには、位置決め凹部の長手方向両角部に面取りが形成され、取付ステーの円形外周面が面取りに支持されて位置決めされることを特徴とする。
位置決め凹部の両角部に面取りを形成することにより、抵抗溶接の初期の接触抵抗を安定させた状態で取付ステーをコモンレールに接合できる。
【００２０】
（請求項１１の発明）
本発明は、コモンレールに蓄えられた高圧燃料をインジェクタより内燃機関に噴射する蓄圧式燃料噴射システムにおいて、コモンレールを内燃機関に取り付けるための取付ステーを有し、この取付ステーを抵抗溶接によりコモンレールに接合する方法であって、コモンレールは、少なくとも取付ステーが接合される外周面が円形に設けられており、取付ステーは、所定の幅で凹状に形成された位置決め凹部が設けられ、この位置決め凹部の両角部をコモンレールの円形外周面に当接させて、位置決め凹部の中心がコモンレールの中心に保たれた状態で接合されることを特徴とする。
【００２１】
上記の接合方法によれば、取付ステーに設けられた位置決め凹部の両角部をコモンレールの円形外周面に当接させることで、コモンレールの中心に位置決め凹部の中心が保たれる。つまり自動調心されるので、従来の治具合わせによることなく、コモンレールの径方向（内燃機関への取付け方向）に対する取付ステーの位置精度を確保できる。
また、コモンレールに対する取付ステーの位置精度を治具合わせによって確保している訳ではないので、抵抗溶接時の発熱によってコモンレールが熱膨張しても、その熱膨張を吸収して位置合わせできる。その結果、コモンレールの熱膨張に影響されることなく、コモンレールに対する取付ステーの位置精度が向上する。
【００２２】
（請求項１２の発明）
請求項１１に記載した取付ステーの接合方法において、取付ステーには、位置決め凹部の両角部に面取りが形成され、コモンレールの円筒外周面に面取りを当てて位置決めされることを特徴とする。
位置決め凹部の両角部に面取りを形成することにより、抵抗溶接の初期の接触抵抗を安定させた状態で取付ステーをコモンレールに接合できる。
【００２３】
（請求項１３の発明）
請求項１１または１２に記載した取付ステーの接合方法において、コモンレールの外周面には、自身の長手方向に所定の幅で凹状に形成された位置決め溝が形成され、取付ステーは、位置決め溝に嵌め合わされることで、コモンレールの長手方向に位置決めされることを特徴とする。
これにより、コモンレールの長手方向に対する取付ステーの位置精度を確保できる。
【発明を実施するための最良の形態】
【００２４】
本発明を実施するための最良の形態を以下の実施例により詳細に説明する。
【実施例１】
【００２５】
図１はコモンレール１と継手部材（コネクタ６）との継手構造を示す断面図であり、図２は蓄圧式燃料噴射システムの全体構成図である。
本実施例の蓄圧式燃料噴射システムは、例えば、４気筒のディーゼル機関に適用されるもので、図２に示す様に、燃料を蓄圧するコモンレール１と、このコモンレール１に燃料を圧送する燃料供給ポンプ２と、ディーゼル機関の筒内３に燃料を噴射するインジェクタ４等を備え、電子制御ユニット（以下ＥＣＵ５と呼ぶ）により制御される。
【００２６】
コモンレール１は、燃料供給ポンプ２より供給された燃料を噴射圧力（目標レール圧）まで蓄圧する。目標レール圧は、ディーゼル機関の運転状態（例えば、アクセル開度と機関回転速度）に応じてＥＣＵ５により算出される。このコモンレール１には、ディーゼル機関の気筒数と同数（実施例１では４個）の配管接続用コネクタ６（後述する）が設けられている。このコネクタ６には、コモンレール１に蓄圧された高圧燃料をインジェクタ４に供給するための高圧配管７が接続される。
【００２７】
燃料供給ポンプ２は、燃料タンク８から燃料を汲み上げるフィードポンプ（図示せず）を内蔵し、このフィードポンプによって汲み上げられた燃料を所定の圧力まで加圧してコモンレール１に圧送する。
インジェクタ４は、ディーゼル機関の各気筒にそれぞれ取り付けられ、前記の高圧配管７を介してコモンレール１に接続されている。このインジェクタ４は、ＥＣＵ５によって電子制御される電磁弁（図示せず）を内蔵し、この電磁弁への通電時期および通電時間により噴射タイミング及び噴射量が制御される。
【００２８】
ＥＣＵ５は、図２に示す各種センサ類（圧力センサ９、ＮＥセンサ１０、アクセル開度センサ１１等）で検出されたセンサ情報を入力し、これらのセンサ情報を基に、インジェクタ４の噴射量および燃料供給ポンプ２の吐出量等を制御する。
圧力センサ９は、コモンレール１の端部に取り付けられ、コモンレール１に蓄圧された燃料圧力Ｐ（実レール圧）を検出して、検出結果をＥＣＵ５に出力する。
【００２９】
ＮＥセンサ１０は、ディーゼル機関のクランク軸が１回転する間に複数のパルス信号を出力する。ＥＣＵ５は、ＮＥセンサ１０より出力されたパルス信号の時間間隔を計測することで、機関回転速度ＮＥを検出する。
アクセル開度センサ１１は、運転者が操作するアクセルペダル１２の操作量（踏込み量）よりアクセル開度を検出して、検出結果をＥＣＵ５に出力する。
【００３０】
続いて、コモンレール１に対する前記コネクタ６の接合方法について説明する。
コネクタ６は、本発明の継手部材の一例であり、コモンレール１の所定位置に抵抗溶接によって接合される。このコネクタ６は、図１に示す様に、中空穴６ａを有する環状体に設けられ、中空穴６ａに高圧配管７の端部が挿入されて、図示しないナット等により結合される。
コネクタ６の座面側（高圧配管７の挿入方向と反対側）には、接合子６ｂが環状に設けられている。この接合子６ｂは、先端側へ向かって肉厚が次第に縮小するテーパ状に形成されて、その先端部に突起部６ｃが設けられている。突起部６ｃは、例えば、図３に示す様に、断面矩形状に形成され、接合子６ｂの全周に渡ってリング状に設けられている。
【００３１】
一方、コモンレール１は、本発明の金属母材の一例であり、径方向の中央部に断面円形の丸穴１ａが穿設され、その丸穴１ａの両端が気密に閉塞されて、高圧燃料を蓄圧するための蓄圧室を形成している。コモンレール１の外周面には、周方向の一部がコモンレール１の長手方向に渡って平坦に形成され、その平坦面にリング状の溝１ｂが形成されている。このリング状の溝１ｂは、コネクタ６に設けられた突起部６ｃと凹凸嵌合できる大きさに設けられている。つまり、図３に示す様に、突起部６ｃの高さと略同一の深さを有し、突起部６ｃの幅（図３の左右方向の長さ）より若干大きい溝幅を有する断面矩形状に凹設されている。
【００３２】
（実施例１の作用および効果）
上記のコネクタ６は、図１に示す様に、コモンレール１に形成されたリング状の溝１ｂに突起部６ｃを嵌め合わせることで、突起部６ｃの両側面（内周面と外周面）が溝１ｂの両側面に規制されて位置決めされる。位置決めされたコネクタ６に加圧力を与えながら抵抗溶接を行うことにより、コモンレール１に接合される。
この接合方法では、コモンレール１とコネクタ６とに位置決め手段（溝１ｂと突起部６ｃ）を設けているので、高い位置精度を得ることができる。また、コネクタ６に設けられた接合子６ｂの肉厚が先端側へ向かって次第に縮小され、その先端部に突起部６ｃを設けているので、突起部６ｃに電流を集中させて電流密度を上げることにより、十分な接合強度を得ることができる。さらに、コモンレール１の溝１ｂに凹凸嵌合する突起部６ｃに電流を集中できるので、特許文献１に記載した公知技術のように絶縁体リングを使用する必要がなく、コストダウンできる。
【００３３】
また、実施例１に記載した接合方法では、コモンレール１に対するコネクタ６の位置精度を治具合わせによって確保している訳ではないので、抵抗溶接時の発熱によってコモンレール１が熱膨張しても、その熱膨張の影響を受けることなく、コモンレール１に対するコネクタ６の位置精度を確保できる。つまり、コモンレール１が熱膨張しても、そのコモンレールの所定位置にコネクタ６が位置決めされるので、コモンレール１の熱膨張に影響されることはなく、コネクタ６の位置精度が悪化することもない。
【００３４】
（実施例１の変形例）
実施例１では、コネクタ６に設けられた突起部６ｃの両側面がコモンレール１に形成された溝１ｂの両側面に規制されて位置決めされる構成である（溝１ｂの幅が突起部６ｃの幅より若干大きい）が、例えば、図４に示す様に、突起部６ｃの外周面を溝１ｂの外周面に位置合わせする、あるいは、図５に示す様に、突起部６ｃの内周面を溝１ｂの内周面に位置合わせする構成でも良い。
また、実施例１では、コネクタ６の接合子６ｂをテーパ状に形成し、その先端部に断面矩形状の突起部６ｃを設けた継手構造を示したが、例えば、図６〜図１７に示す様に、突起部６ｃの形状を適宜変更しても良く、その突起部６ｃの形状に応じて溝１ｂの断面形状を変更することもできる。
【００３５】
また、実施例１では、本発明の継手部材として、コモンレール１に高圧配管７を接続するための配管接続用コネクタ６を示したが、これ以外にも以下の用途が考えられる。
ａ）燃料供給ポンプ２より圧送される高圧燃料をコモンレール１に供給するための燃料配管１３（図２参照）をコモンレール１に接続するための配管接続用コネクタ。
ｂ）圧力センサ９、または減圧弁１４（図２参照）、または圧力調整装置（図示せず）等をコモンレール１に取り付けるための接続用コネクタ。
ｃ）コモンレール１にブラケットを固定するための固定用コネクタ。
ｄ）燃料供給ポンプ２のシリンダヘッド（本発明の金属母材）に燃料配管１３を接続するための配管接続用コネクタ。
ｅ）インジェクタ４のボディ（本発明の金属母材）に高圧配管７を接続するための配管接続用コネクタ。
【実施例２】
【００３６】
図１８はコモンレール１と取付ステー１５との継手構造を示す断面図である。
実施例２に記載したコモンレール１は、例えば、２個の取付ステー１５（図１８参照）が抵抗溶接によって接合されており、この取付ステー１５を介してボルト（図示せず）の締め付けによりディーゼル機関に取り付けられる。
取付ステー１５は、図１８に示す様に、ボルトを通すための丸穴１５ａを有する円筒形状に設けられ、丸穴１５ａの内径中心と取付ステー１５の外径中心とが同心に位置している。つまり、取付ステー１５の内周円（丸穴１５ａの円周）と外周円とが同心円として形成されている。この取付ステー１５は、コモンレール１に対して、丸穴１５ａの中心線方向がコモンレール１の長手方向（図１８の左右方向）と直交する向きに接合される。
【００３７】
コモンレール１には、取付ステー１５を位置決めするための位置決め凹部１ｃが２か所形成されている。この位置決め凹部１ｃは、コモンレール１の長手方向に所定の幅で矩形状に窪んで形成されている。位置決め凹部１ｃの幅は、取付ステー１５の外径より小さく設けられ、位置決め凹部１ｃの深さは、位置決め凹部１ｃの両角部に取付ステー１５を乗せた時に、取付ステー１５の外周面が位置決め凹部１ｃの底面に当たらない大きさに設けられている。なお、位置決め凹部１ｃの角部には、図１９に示す様に、面取り１ｄを設けても良いし、図２０に示す様に、面取り１ｄの無い角部のままでも良い。
【００３８】
上記の構成によれば、位置決め凹部１ｃの両角部に取付ステー１５の外周面を乗せることで、位置決め凹部１ｃの中心に取付ステー１５の中心が保たれる。つまり、自動調心されることで、コモンレール１の所定位置に取付ステー１５を位置決めできる。この方法によれば、コモンレール１の長さあるいは取付ステー１５の外径に誤差が生じた場合でも、その誤差に影響されることなく、コモンレール１の所定位置に取付ステー１５を位置決めできるので、位置精度が向上する。
【００３９】
また、この実施例２では、コモンレール１に対する取付ステー１５の位置精度を治具合わせによって確保している訳ではないので、抵抗溶接時の発熱によってコモンレール１が熱膨張しても、その熱膨張を吸収して位置合わせできる。つまり、熱膨張によってコモンレール１の長さが増大しても、そのコモンレール１に形成された位置決め凹部１ｃの中心に取付ステー１５の中心が保たれるので、コモンレール１の熱膨張によって取付ステー１５の接合位置がずれることはなく、コモンレール１に対する取付ステー１５の位置精度を確保できる。
【実施例３】
【００４０】
図２１（ａ）はコモンレール１と取付ステー１５との継手構造を示す側面図、図２１（ｂ）は同継手構造を示す軸方向の正面図である。
実施例３は、ブロック状の取付ステー１５を用いる場合の一例である。
取付ステー１５は、図２１に示す様に、外形がブロック状に設けられて、その一面に位置決め凹部１５ｂが形成されている。この位置決め凹部１５ｂは、取付ステー１５を貫通する丸穴１５ａの中心軸方向に所定の幅で矩形状に窪んで形成されている。なお、位置決め凹部１５ｂの角部には、図２２に示す様に、面取り１５ｃを設けても良いし、図２３に示す様に、面取り１５ｃの無い角部のままでも良い。
【００４１】
一方、コモンレール１には、自身の長手方向に取付ステー１５を位置決めするための位置決め溝１ｅが形成されている。この位置決め溝１ｅは、図２１（ａ）に示す様に、コモンレール１の長手方向（図示左右方向）に、取付ステー１５の横幅がちょうど嵌まるだけの長さを有し、且つコモンレール１の全周に渡って形成されている。
上記の構成によれば、取付ステー１５をコモンレール１の位置決め溝１ｅに嵌め合わせることで、コモンレール１の長手方向に取付ステー１５を位置決めできる。また、取付けステー１５に形成された位置決め凹部１５ｂの両角部をコモンレール１の外周面（位置決め溝１ｅ）に乗せる（当接させる）ことで、コモンレール１の中心に位置決め凹部１５ｂの中心が保たれる。つまり、自動調心されることで、コモンレール１の径方向（図２１（ｂ）の左右方向）に対する取付ステー１５の位置精度を確保できる。
【実施例４】
【００４２】
図２４（ａ）はコモンレール１と取付ステー１５との継手構造を示す軸方向の正面図、図２４（ｂ）は同継手構造を示す断面図である。
実施例４に示す取付ステー１５は、円筒形状の両端部にフランジ部１５ｄが設けられ、このフランジ部１５ｄの外径が円筒外周面の外径より若干大きく形成されている。
一方、コモンレール１には、図２４（ａ）に示す様に、取付ステー１５の両フランジ部１５ｄの間にちょうど嵌まるだけの長さを有する位置決め部１ｆが設けられている。この位置決め部１ｆは、図２４（ｂ）に示す様に、コモンレール１の外周面から段階的に彫り込まれて、取付ステー１５をコモンレール１の長手方向に位置決めする位置決め凹部１ｃとしても機能している。
【００４３】
上記の構成によれば、実施例２の場合と同様に、位置決め凹部１ｃの両角部に取付ステー１５の円筒外周面を乗せることで、コモンレール１の長手方向に取付ステー１５を位置決めできる。また、取付ステー１５の両フランジ部１５ｄの間に位置決め部１ｆを嵌め込むことで、取付ステー１５の中心軸方向（図２４（ａ）の左右方向）の移動を規制できる。
なお、実施例３および実施例４においても、実施例２と同様に、抵抗溶接時の発熱によってコモンレール１が熱膨張しても、その熱膨張の影響を受けることなく、コモンレール１に対する取付ステー１５の位置精度を確保できることは同じである。
【図面の簡単な説明】
【００４４】
【図１】コモンレールとコネクタとの継手構造を示す断面図である（実施例１）。
【図２】蓄圧式燃料噴射システムの全体構成図である。
【図３】実施例１に示す継手構造の拡大断面図である。
【図４】実施例１に示す継手構造の変形例を示す拡大断面図である。
【図５】実施例１に示す継手構造の変形例を示す拡大断面図である。
【図６】実施例１に示す継手構造の変形例を示す拡大断面図である。
【図７】実施例１に示す継手構造の変形例を示す拡大断面図である。
【図８】実施例１に示す継手構造の変形例を示す拡大断面図である。
【図９】実施例１に示す継手構造の変形例を示す拡大断面図である。
【図１０】実施例１に示す継手構造の変形例を示す拡大断面図である。
【図１１】実施例１に示す継手構造の変形例を示す拡大断面図である。
【図１２】実施例１に示す継手構造の変形例を示す拡大断面図である。
【図１３】実施例１に示す継手構造の変形例を示す拡大断面図である。
【図１４】実施例１に示す継手構造の変形例を示す拡大断面図である。
【図１５】実施例１に示す継手構造の変形例を示す拡大断面図である。
【図１６】実施例１に示す継手構造の変形例を示す拡大断面図である。
【図１７】実施例１に示す継手構造の変形例を示す拡大断面図である。
【図１８】実施例２に係る継手構造の断面図である。
【図１９】実施例２に係る継手構造の一部を示す拡大断面図である。
【図２０】実施例２に係る継手構造の一部を示す拡大断面図である。
【図２１】（ａ）実施例３に係る継手構造の側面図、（ｂ）は同継手構造の軸方向正面図である。
【図２２】実施例３に係る継手構造の一部を示す拡大断面図である。
【図２３】実施例３に係る継手構造の一部を示す拡大断面図である。
【図２４】（ａ）実施例４に係る継手構造の軸方向正面図、（ｂ）同継手構造の断面図である。
【符号の説明】
【００４５】
１    コモンレール（金属母材）
１ｂ  リング状の溝
１ｃ  コモンレールの位置決め凹部
１ｅ  位置決め溝
２    燃料供給ポンプ
４    インジェクタ
６    配管接続用コネクタ（継手部材）
６ｂ  環状の接合子
６ｃ  突起部
７    高圧配管
９    圧力センサ
１３    燃料配管
１４    減圧弁
１５    取付ステー
１５ｂ  取付ステーの位置決め凹部
【図１】
2006077716.tif 000003
【図２】
2006077716.tif 000004
【図３】
2006077716.tif 000005
【図４】
2006077716.tif 000006
【図５】
2006077716.tif 000007
【図６】
2006077716.tif 000008
【図７】
2006077716.tif 000009
【図８】
2006077716.tif 000010
【図９】
2006077716.tif 000011
【図１０】
2006077716.tif 000012
【図１１】
2006077716.tif 000013
【図１２】
2006077716.tif 000014
【図１３】
2006077716.tif 000015
【図１４】
2006077716.tif 000016
【図１５】
2006077716.tif 000017
【図１６】
2006077716.tif 000018
【図１７】
2006077716.tif 000019
【図１８】
2006077716.tif 000020
【図１９】
2006077716.tif 000021
【図２０】
2006077716.tif 000022
【図２１】
2006077716.tif 000023
【図２２】
2006077716.tif 000024
【図２３】
2006077716.tif 000025
【図２４】
2006077716.tif 000026